(57)【要約】【課題】乗りかご内の乗客に周囲の環境に応じた情報を提供することのできるエレベータの表示制御装置を提供する。【解決手段】各階の乗り場１１ａ〜１１ｃに周囲の明るさを検出する照度計１２ａ〜１２ｃを設置する。主制御装置１５は、これらの照度計１２ａ〜１２ｃによって検出される各階の照度情報に基づいて、乗りかご１６内の表示装置１７に表示するコンテンツを切り換える。これにより、乗りかご１６内の乗客に周囲環境に応じた情報を提供することができる。【選択図】      図１
2007031058.tif 000002
【特許請求の範囲】
【請求項１】
乗りかご内に設置された表示手段と、
各階の乗り場に設置され、それぞれの乗り場での周囲の明るさを検出する複数の照度検出手段と、
上記各照度検出手段によって得られる各階の照度情報に基づいて上記表示手段に表示するコンテンツを切り換える表示制御手段と
を具備したことを特徴とするエレベータの表示制御装置。
【請求項２】
上記表示制御手段は、上記各照度検出手段によって得られる各階の照度情報の中から上記乗りかごが停止している階床の照度情報を基準レベルとして求め、その基準レベルに対応したコンテンツを上記表示手段に表示することを特徴とする請求項１記載のエレベータの表示制御装置。
【請求項３】
上記表示制御手段は、上記各照度検出手段によって得られる各階の照度情報の平均値を基準レベルとして求め、その基準レベルに対応したコンテンツを上記表示手段に表示することを特徴とする請求項１記載のエレベータの表示制御装置。
【請求項４】
上記表示制御手段は、上記各照度検出手段によって得られる各階の照度情報の最低値あるいは最高値を基準レベルとして求め、その基準レベルに対応したコンテンツを表示することを特徴とする請求項１記載のエレベータの表示制御装置。
【請求項５】
上記乗りかごの昇降路外壁に設置され、外の明るさを検出する明るさ検出手段を備え、
上記表示制御手段は、上記明るさ検出手段によって得られる明るさ情報に基づいて上記表示手段に表示するコンテンツを切り換えることを特徴とする請求項１記載のエレベータの表示制御装置。
【請求項６】
上記各階の乗り場に設置された複数の乗り場表示手段を備え、
上記表示制御手段は、上記乗りかご内の表示手段に連動させて、上記各乗り場表示手段に同じコンテンツを表示することを特徴とする請求項１乃至５のいずれか１つに記載のエレベータの表示制御装置。
【発明の詳細な説明】
【技術分野】
【０００１】
本発明は、乗りかご内に表示装置を備えたエレベータの表示制御装置に関する。
【背景技術】
【０００２】
従来、エレベータの乗りかご内に表示装置を備え、その表示装置を通じて乗客に情報提供を行う表示システムがある。通常、この種の表示システムでは、乗りかごの走行中に、例えば広告などの予め決められた情報を定期的に表示している。
【０００３】
一方、乗りかご内に調光可能な照明装置を備え、乗りかごの運転状態に合わせて照度調整を行うものがある（例えば、特許文献１，２参照）。
【０００４】
特許文献１では、エレベータの乗りかごの照明を、かご位置及び乗客の有無により自動的に変えることにより、運転中の省エネを実現している。つまり、走行中は乗りかご内の乗客の顔が認識できる程度まで照度を下げておき、停止階に着床したときに照度を上げて、階床の照明に合わせている。また、特許文献２では、停止階に着床した後、戸開完了時まで、乗りかご内の照度を下げることにより、さらに省エネを実現している。
【特許文献１】特開平７−３１５６９９号公報
【特許文献２】特開２００２−１４５５３８号公報
【発明の開示】
【発明が解決しようとする課題】
【０００５】
上述した表示システムでは、周囲の環境とは無関係に一方的な情報提供がなされるだけである。また、上記特許文献１，２などに開示されている照明装置にあっても、単に省エネを目的として、乗りかご内の照度調整を行うだけであり、周囲の環境に応じて照度調整を行うものではない。
【０００６】
本発明は上記のような点に鑑みなされたもので、乗りかご内の乗客に周囲の環境に応じた情報を提供することのできるエレベータの表示制御装置を提供することを目的とする。
【課題を解決するための手段】
【０００７】
本発明の請求項１に係るエレベータの表示制御装置は、乗りかご内に設置された表示手段と、各階の乗り場に設置され、それぞれの乗り場での周囲の明るさを検出する複数の照度検出手段と、上記各照度検出手段によって得られる各階の照度情報に基づいて上記表示手段に表示するコンテンツを切り換える表示制御手段とを具備したことを特徴とする。
【０００８】
また、本発明の請求項２は、上記請求項１記載のエレベータの表示制御装置において、上記表示制御手段は、上記各照度検出手段によって得られる各階の照度情報の中から上記乗りかごが停止している階床の照度情報を基準レベルとして求め、その基準レベルに対応したコンテンツを上記表示手段に表示することを特徴とする。
【０００９】
また、本発明の請求項３は、上記請求項１記載のエレベータの表示制御装置において、上記表示制御手段は、上記各照度検出手段によって得られる各階の照度情報の平均値を基準レベルとして求め、その基準レベルに対応したコンテンツを上記表示手段に表示することを特徴とする。
【００１０】
また、本発明の請求項４は、上記請求項１記載のエレベータの表示制御装置において、上記表示制御手段は、上記各照度検出手段によって得られる各階の照度情報の最低値あるいは最高値を基準レベルとして求め、その基準レベルに対応したコンテンツを表示することを特徴とする。
【００１１】
また、本発明の請求項５は、上記請求項１記載のエレベータの表示制御装置において、上記乗りかごの昇降路外壁に設置され、外の明るさを検出する明るさ検出手段を備え、上記表示制御手段は、上記明るさ検出手段によって得られる明るさ情報に基づいて上記表示手段に表示するコンテンツを切り換えることを特徴とする。
【００１２】
また、本発明の請求項６は、上記請求項１乃至５のいずれか１つに記載のエレベータの表示制御装置において、上記各階の乗り場に設置された複数の乗り場表示手段を備え、上記表示制御手段は、上記乗りかご内の表示手段に連動させて、上記各乗り場表示手段に同じコンテンツを表示することを特徴とする。
【発明の効果】
【００１３】
本発明によれば、各階の乗り場での周囲の明るさや、外の明るさに応じて乗りかご内の表示装置に表示するコンテンツを適宜切り換えることで、乗りかご内の乗客に周囲環境に応じた情報を提供することができる。
【発明を実施するための最良の形態】
【００１４】
以下、図面を参照して本発明の実施形態を説明する。
【００１５】
（第１の実施形態）
図１は本発明の第１の実施形態に係るエレベータの表示制御装置の構成を示す図である。今、説明を簡単にするため、３階床の建物内に設置された１台のエレベータを想定する。図中の１１ａ〜１１ｃはエレベータの乗り場であり、１１ａをＡ階床の乗り場、１１ｂをＢ階床の乗り場、１１ｃをＣ階床の乗り場とする。
【００１６】
各階の乗り場１１ａ〜１１ｃには、少なくとも１つの照度計１２ａ〜１２ｃが設置されている。この照度計１２ａ〜１２ｃは、それぞれの乗り場での周囲の明るさを検出する。Ｓ１〜Ｓ３は照度計１２ａ〜１２ｃの照度検出信号であり、機械室１４に設置されたエレベータの主制御装置１５に入力される。
【００１７】
また、各階の乗り場１１ａ〜１１ｃには、少なくとも１つの表示装置１３ａ〜１３ｃが設置されている。この表示装置１３ａ〜１３ｃは、例えばホールドアの近傍などに設置されており、後述する乗りかご１６内の表示装置１７と連動して各種コンテンツを表示する。Ｓ４〜Ｓ６は、主制御装置１５から表示装置１３ａ〜１３ｃに対して出力される表示切換制御信号である。
【００１８】
主制御装置１５は、ＣＰＵ、ＲＯＭ、ＲＡＭなどを備えたコンピュータによって構成される。この主制御装置１５は、乗り場呼びやかご呼びに対する乗りかご１６の割当て制御など、エレベータ全体の制御を行う。また、この主制御装置１５は、コンテンツ切換え用のテーブル１５ａを有し、乗りかご１６の走行中にこのテーブル１５ａを参照して乗りかご１６内の表示装置１７に対するコンテンツの切換え制御を行う。Ｓ７はこの表示装置１７に対する表示切換制御信号であり、かご制御装置１８に出力される。
【００１９】
かご制御装置１８は、乗りかご１６の上に設置されており、かごドアの開閉制御などを含むかご内の各機器の制御を行う。このかご制御装置１８には表示駆動回路１９が設けられており、この表示駆動回路１９から表示信号Ｓ８により乗りかご１６内の表示装置１７にコンテンツの表示がなされる。
【００２０】
また、図中のＳ９は乗りかご１６の現在位置を示すかご位置信号である。なお、乗りかご１６の現在位置は、例えば図示せぬ昇降路内に設置された複数の位置検出用スイッチ、あるいは、図示せぬ巻上機に設置された回転検出器（パルスエンコーダ）を用いて検出される。
【００２１】
図２は主制御装置１５に備えられたコンテンツ切換え用のテーブル１５ａの一例を示す図である。
【００２２】
このテーブル１５ａには、照度情報の基準レベル［ルックス］とその基準レベルに対応したコンテンツの種類との関係が設定されている。図２の例では、レベル１に対しコンテンツＡ、レベル２に対しコンテンツＢ、レベル３に対しコンテンツＣが設定されている。なお、ここでは、レベル１が最も明るく、続いてレベル２、レベル３の順であるとする（レベル１＞レベル２＞レベル３）。また、コンテンツＡ，Ｂ，Ｃは、周囲環境を反映させた情報からなり、具体的には、例えば周囲の明るさをイメージした画像情報などである。
【００２３】
図３はかご位置と照度との関係を示した図である。
【００２４】
縦軸は各階乗り場の照度を示しており、ＩａはＡ階床（乗り場１１ａ）の照度値、ＩｂはＢ階床（乗り場１１ｂ）の照度値、ＩｃはＣ階床（乗り場１１ｃ）の照度値である。横軸はかご位置を示している。
【００２５】
また、Ｐａ，Ｐｂ，Ｐｃはコンテンツの切換えパターンを示している。点線は各階床間を走行中であることを示す。切換えパターンＰａは、乗りかご１６がＡ，Ｂ，Ｃの各階床に停止しているときに、それぞれの階床での照度値Ｉａ，Ｉｂ，Ｉｃに応じてコンテンツを切り換える場合を表している。また、切換えパターンＰｂは、Ａ〜Ｃ階床の照度値Ｉａ，Ｉｂ，Ｉｃの平均値に応じたコンテンツを表示する場合を表している。切換えパターンＰｃは、Ａ〜Ｃ階床の照度値Ｉａ，Ｉｂ，Ｉｃの中の最低値に応じたコンテンツを表示する場合を表している。
【００２６】
次に、同実施形態におけるコンテンツ切換え処理について説明する。
【００２７】
図４は主制御装置１５によるコンテンツ切換え処理の動作を示すフローチャートである。
【００２８】
各階の乗り場１１ａ〜１１ｃにおいて、それぞれの乗り場での明るさが照度計１２ａ〜１２ｃにより検出され、その検出値を示す照度検出信号Ｓ１〜Ｓ３が機械室１４内の主制御装置１５に与えられる（ステップＳＴ１）。一方、乗りかご１６の現在位置が図示せぬ昇降路内の各位置検出スイッチあるいは図示せぬ巻上機に設置された回転検出器によって検出され、その検出位置を示すかご位置信号Ｓ９が主制御装置１５に与えられる（ステッＳＴ２）。
【００２９】
主制御装置１５では、照度検出信号Ｓ１〜Ｓ３とかご位置信号Ｓ９を入力することにより、現在のかご位置に対する照度情報の基準レベルを求める（ステップＳＴ３）。そして、主制御装置１５は、テーブル１５ａを参照して上記照度情報の基準レベルに基づいてコンテンツの切換え処理を行う（ステップＳＴ４）。
【００３０】
具体的に説明すると、今、例えば図３の切換えパターンＰａに示すように、Ａ〜Ｃの各階床毎にそれぞれの照度値に合わせてコンテンツの切り換えを行うものとする。
【００３１】
すなわち、乗りかご１６がＡ階床に停止したときには、主制御装置１５は、そのＡ階床の照度値Ｉａを基準レベルとして求め、図２に示すテーブル１５ａに設定されたレベル１〜３と比較する。そして、レベル１〜３の中で最も近いレベルに対応したコンテンツを最適コンテンツとして選択する。例えばＡ階床の照度値Ｉａがレベル１に近ければ、コンテンツＡを選択する。そして、乗りかご１６内の表示装置１７にコンテンツＡを表示するべく、その表示切換制御信号Ｓ７をかご制御装置１８に対して出力する。これにより、かご制御装置１８に設けられた表示駆動回路１９から表示信号Ｓ８が出力され、表示装置１７にコンテンツＡが表示される。
【００３２】
同様に、乗りかご１６がＢ階床にある場合には、そのＢ階床の照度値Ｉｂを基準レベルとして求め、乗りかご１６がＣ階床にある場合には、そのＣ階床の照度値Ｉｃを基準レベルとして求めてテーブル１５ａを参照する。この場合、例えば照度値Ｉｂがレベル２に近ければ、コンテンツＢへの切り換えがなされ、照度値Ｉｃがレベル３に近ければ、コンテンツＣへの切り換えがなされることになる。
【００３３】
また、このときに、各階の乗り場１１ａ〜１１ｃに設置された表示装置１３ａ〜１３ｃには、主制御装置１５から出力される表示切換制御信号Ｓ４〜Ｓ６により、乗りかご１６内の表示装置１７と同じ内容のコンテンツが表示される。
【００３４】
なお、各階床間（走行中）では、例えば乗りかご１６が次の階へ着床するまでの間、前の階床停止時に表示していたコンテンツをそのまま表示するものとし、乗りかご１６が次の階へ着床したときに、その階床での照度情報に基づいてコンテンツの切り換えを行うものとする。
【００３５】
また、図３の切換えパターンＰｂに示すように、各階床Ａ，Ｂ，Ｃの照度値Ｉａ，Ｉｂ，Ｉｃの平均値を基準レベルとして求め、その基準レベルに対応したコンテンツを最適コンテンツとして乗りかご１６内の表示装置１７に表示することでも良い。例えば、照度値Ｉａ，Ｉｂ，Ｉｃの平均値がテーブル１５ａに設定されたレベル２に最も近ければ、そのレベル２に対応したコンテンツＢを表示する。
【００３６】
また、図３の切換えパターンＰｃに示すように、各階床Ａ，Ｂ，Ｃの照度値Ｉａ，Ｉｂ，Ｉｃの中の最低値を基準レベルとして求め、その基準レベルに対応したコンテンツを最適コンテンツとして乗りかご１６内の表示装置１７に表示することでも良い。例えば、照度値Ｉｃが最低値であり、テーブル１５ａに設定されたレベル３に最も近ければ、そのレベル３に対応したコンテンツＣを表示する。
【００３７】
なお、図３には特に示していないが、例えば各階床Ａ，Ｂ，Ｃの照度値Ｉａ，Ｉｂ，Ｉｃの中の最高値を基準レベルとして求め、その基準レベルに対応したコンテンツを最適コンテンツとして乗りかご１６内の表示装置１７に表示することでも良い。
【００３８】
どのような切換えパターンを使用するのかは、ビルの利用目的に応じて予め決めておいても良いし、時間等にて適宜選択的に使用するように予めスケジューリングしておくことでも良い。
【００３９】
すなわち、例えば飲食店などの店舗が入っているビルでは、夜間の時間帯は夜間営業する飲食店の明るさに合わせて、各階の照度の最低値を選択し、昼間の時間帯は通常の売り場店舗の明るさに合わせて、各階の照度の最高値を選択してコンテンツの切り換え表示を行う。
【００４０】
また、多目的でない小規模のビルであれば、各階の照度の平均値に応じてコンテンツの表示を行い、デパートなどのように各階の利用目的が異なる場合には、各階の照度に応じてコンテンツを適宜切り換える。
【００４１】
また、例えば雑居ビルなどでは、深夜だけ営業する店や、昼間から夜にかけて営業する店など様々である。そのような場合に、例えば昼から夕方にかけては少し明るい背景をイメージしたコンテンツを表示し、深夜は少し暗い背景をイメージしたコンテンツを表示するようにテーブル１５ａに設定しておく。
【００４２】
図５乃至図７にコンテンツの表示例を示す。
【００４３】
図５は周囲の環境が明るい場合に使用されるコンテンツの一例であり、例えば青空の広がった風景などが表示される。また、図６は周囲の環境が少し暗い場合に使用されるコンテンツの一例であり、あまり暗さを感じさせないように、例えば雪景色などが表示される。図７は周囲の環境が暗い場合に使用されるコンテンツの一例であり、例えば夜景や星空などが表示される。
【００４４】
このように、各階の乗り場１１ａ〜１１ｃにおいて、それぞれの乗り場での周囲の明るさを検出し、その明るさに応じて乗りかご１６内の表示装置１７に表示するコンテンツを切り換えるようにしたことで、乗りかご１６内の乗客に当該コンテンツを周囲環境情報として提供することができる。また、各階の乗り場１１ａ〜１１ｃでも同じ内容のコンテンツを表示することで、乗り場１１ａ〜１１ｃで待機している乗客に対しても同様の情報を提供することが可能となる。
【００４５】
なお、図１の構成例では、各階の乗り場１１ａ〜１１ｃに照度計１２ａ〜１２ｃが１つずつ設置されているが、例えば各階毎に複数の照度計を設置することでも良い。この場合、例えばホールドアの近く、店舗の近く、ビルの窓の近くといったように、照度計を各箇所に設置しておけば、各階床毎の光の入り方のばらつきを防いで、各階の明るさを正確に検出することができる。
【００４６】
また、同じ階に多数の店舗が入っている場合には、それぞれの店舗の近くに照度計を設置しておき、時間帯に応じて各照度計の値を選択的に入力することでも良い。これにより、各階において、例えば昼間の時間帯では昼間営業している店舗の明るさに合わせてコンテンツを表示し、夜間の時間帯では夜間営業している店舗の明るさに合わせてコンテンツを表示することができる。
【００４７】
（第２の実施形態）
次に、本発明の第２の実施形態について説明する。
【００４８】
上記第１の実施形態では、各階の周囲の明るさに応じてコンテンツの切り換えを行うものとしたが、第２の実施形態では、展望用エレベータを想定し、外の明るさ、つまり、日差しの明るさに応じてコンテンツの切り換えを行うものである。
【００４９】
図８は本発明の第２の実施形態に係るエレベータの表示制御装置の構成を示す図であり、展望用エレベータに適用した場合の構成が示されている。なお、図１と同じ部分には同一符号を付して、その詳しい説明は省略するものとする。
【００５０】
図中の２１は展望用エレベータの昇降路外壁である。この昇降路外壁２１は、ガラスなどにより構成されており、同様にガラス張りの乗りかご１６の中から外の景色を展望することができる。
【００５１】
第２の実施形態では、この昇降路外壁２１に対し、複数の明るさ検出器２０ａ〜２０ｃが配設されている。この明るさ検出器２０ａ〜２０ｃは、外の明るさ、つまり、日差しの明るさを検出するためのものであり、乗り場１１ａ〜１１ｃに設置された照度計１２ａ〜１２ｃと同様に機械室１４内の主制御装置１５に接続されている。Ｓ１０〜Ｓ１２はこれらの明るさ検出器２０ａ〜２０ｃから出力される明るさ検出信号である。
【００５２】
このような構成において、主制御装置１５は、昇降路外壁２１に設置された明るさ検出器２０ａ〜２０ｃを通じて外の明るさを検出し、その明るさを基準レベルとしてテーブル１５ａを参照することでコンテンツの切換え処理を行う。
【００５３】
この場合、上記図３に示した切換えパターンのように、乗りかご１６の運転に合わせて明るさ検出器２０ａ〜２０ｃの中で現在のかご位置に最も近い検出器の値を選択してコンテンツを表示しても良いし、明るさ検出器２０ａ〜２０ｃの平均値や最低値／最高値を用いてコンテンツを表示しても良い。どのような切換えパターンで外の明るさに応じたコンテンツを表示するのかは予め設定しておくものとする。
【００５４】
このように、展望用エレベータにおいて、外の明るさを検出して、その明るさに応じたコンテンツを切り換えるようにしたことで、例えば日中では青空などをイメージしたコンテンツ、夕方では夕日をイメージしたコンテンツ、夜間では星空イメージしたコンテンツを表示するといったように、外の明るさにマッチしたコンテンツを周囲環境情報として提供することができる。
【００５５】
なお、上記第１の実施形態と同様に、乗り場１１ａ〜１１ｃに設置された表示装置１３ａ〜１３ｃに対し、乗りかご１６内の表示装置１７と同じコンテンツを表示することでも良い。
【００５６】
また、別の表示方法として、例えば乗り場１１ａ〜１１ｃ側の表示装置１３ａ〜１３ｃには各階に設置された照度計１２ａ〜１２ｃを用いてコンテンツを表示し、乗りかご１６内の表示装置１７には昇降路外壁２１に設置された明るさ検出器２０ａ〜２０ｃを用いてコンテンツを表示するようにしても良い。
【００５７】
さらに、乗りかご１６内に同様の明るさ検出器を設け、その明るさ検出器によって得られる明るさを基準にしてコンテンツの切り換えを行うことでも良い。ただし、太陽の動きによって、日差しの向きが時々刻々と変化するため、明るさ検出器の設置場所によっては、乗りかご１６内の全体の明るさを反映しないことがある。そこで、乗りかご１６内で検出する場合には、日差しの方向の変化を考慮して、複数の明るさ検出器を配置して、時間帯により有効とする明るさ検出器の値を主制御装置１５にて選択することが好ましい。
【００５８】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００５９】
【図１】図１は本発明の第１の実施形態に係るエレベータの表示制御装置の構成を示す図である。
【図２】図２は同実施形態における主制御装置に備えられたコンテンツ切換え用のテーブルの一例を示す図である。
【図３】図３は同実施形態におけるかご位置と照度との関係を示した図である。
【図４】図４は同実施形態における主制御装置によるコンテンツ切換え処理の動作を示すフローチャートである。
【図５】図５は同実施形態におけるコンテンツの表示例を示す図であり、周囲の環境が明るい場合に使用されるコンテンツの一例を示す図である。
【図６】図６は同実施形態におけるコンテンツの表示例を示す図であり、周囲の環境が少し暗い場合に使用されるコンテンツの一例を示す図である。
【図７】図７は同実施形態におけるコンテンツの表示例を示す図であり、周囲の環境が暗い場合に使用されるコンテンツの一例を示す図である
【図８】図８は本発明の第２の実施形態に係るエレベータの表示制御装置の構成を示す図であり、展望用エレベータに適用した場合の構成を示す図である。
【符号の説明】
【００６０】
１１ａ〜１１ｃ…乗り場、１２ａ〜１２ｃ…照度計、１３ａ〜１３ｂ…表示装置、１４…機械室、１５…主制御装置、１５ａ…テーブル、１６…乗りかご、１７…表示装置、１８…かご制御装置、１９…表示駆動回路、２０ａ〜２０ｃ…明るさ検出器、２１…昇降路外壁、Ｓ１〜Ｓ３…照度検出信号、Ｓ４〜Ｓ６…表示切換制御信号、Ｓ７…表示切換制御信号、Ｓ８…表示信号、Ｓ９…かご位置信号、Ｓ１０〜Ｓ１２…明るさ検出信号。
【図１】
2007031058.tif 000003
【図２】
2007031058.tif 000004
【図３】
2007031058.tif 000005
【図４】
2007031058.tif 000006
【図５】
2007031058.tif 000007
【図６】
2007031058.tif 000008
【図７】
2007031058.tif 000009
【図８】
2007031058.tif 000010